(57)【要約】  本発明は、電圧を供給し、且つ相互に接続されている複数の個別セル（１２；１１２）を有する装置、例えば二次電池パックまたは一次電池パック（１０；１００）に関する。各セル（１２；１１２）には該セル（１２；１１２）の機能を監視し、且つ、該監視に依存してセル情報を提供するために１つの監視回路（１４；１１４）が対応付けられており、各監視回路（１４；１１４）は前記セル情報に依存して導電分離させる状態信号を提供する結合装置（１６；１１６）と接続されている。
2010537362.tif 000002
【特許請求の範囲】
【請求項１】
電圧を供給し、且つ相互に接続されている複数の個別セル（１２；１１２）を有する装置、例えば二次電池パックまたは一次電池パック（１０；１００）において、
各セル（１２；１１２）には該セル（１２；１１２）の機能を監視し、且つ、該監視に依存してセル情報を提供するために１つの監視回路（１４；１１４）が対応付けられており、各監視回路（１４；１１４）は前記セル情報に依存して導電分離させる状態信号を提供する結合装置（１６；１１６）と接続されていることを特徴とする、装置。
【請求項２】
前記結合装置（１６；１１６）は前記二次電池パックまたは一次電池パック（１０；１００）の外部に配置されている第２の結合エレメントと通信するための第１の結合エレメントを有する、請求項１記載の装置。
【請求項３】
前記結合装置（１６；１１６）と接続されており、且つ、前記セル情報に依存して信号を充電装置または負荷に供給する信号評価回路（１８；１１８）が設けられている、請求項１記載の装置。
【請求項４】
前記信号評価回路（１８；１１８）は、前記二次電池パックまたは一次電池パック（１０；１００）内に設けられている温度センサ（２２）の電気的な量を制御することによって、前記セル情報に依存する信号を前記温度センサ（２２）を介して前記充電装置または前記負荷に伝送する、請求項３記載の装置。
【請求項５】
前記信号評価回路（１８；１１８）は前記セル情報に依存する信号を光学的なインタフェースまたは無線インタフェースを介して、もしくは誘導性または容量性の結合ユニットを介して前記充電装置または前記負荷に供給する、請求項３記載の装置。
【請求項６】
前記信号評価回路（１８；１１８）は、前記セル情報に依存して、前記二次電池パックまたは一次電池パック（１０；１００）内に設けられているスイッチを介して、前記二次電池パックまたは一次電池パック（１０；１００）への電流の流れ、または、前記二次電池パックまたは一次電池パック（１０；１００）からの電流の流れを遮断する、請求項３記載の装置。
【請求項７】
前記結合装置（１６；１１６）はオプトカプラ（１６；１１６）を含む、請求項１から６までのいずれか１項記載の装置（１０；１００）。
【請求項８】
前記結合装置（１６；１１６）は、前記装置の外部に設けられている第２の結合エレメント、例えば光電セルと通信するための第１の結合エレメント、例えば発光ダイオードを有する、請求項１または２記載の装置（１０；１００）。
【請求項９】
前記結合装置（１６；１１６）は無線接続、誘導性の結合または容量性の結合を確立するための装置を有する、請求項１から６までのいずれか１項記載の装置（１０；１００）。
【請求項１０】
電圧を供給する複数のセル（１１２）が１つの監視装置（１１４）にそれぞれ対応付けられている、請求項１から９までのいずれか１項記載の装置（１０；１００）。
【発明の詳細な説明】
【技術分野】
【０００１】
本発明は、電圧を供給する個別セルの動作を監視する監視回路が組み込まれている二次電池パックまたは一次電池パックに関する。
【背景技術】
【０００２】
この種の二次電池パックまたは一次電池パックは例えばラップトップまたはパワーツールに使用され、例えばリチウムイオン二次電池においては個別セルが各々監視され、セルの電圧が所定の限界値を下回っていることを監視回路が確認すると、セルの誤動作が充電装置または負荷に出力される。
【０００３】
しかしながら従来のシステムにおいては、各監視回路が信号評価回路と通常は並列に接続されているので、個々のセル情報信号の検出を実現するためには１０〜２０より多くのセルで既に全体の電圧が過度に高くなってしまうので、限定された数の個別セルしか監視できない。しかしながら、殊に非常に高性能の二次電池パックまたは一次電池パックが必要とされる用途に関しては、数百、それどころか数千のオーダの大量の個別セルを１つの二次電池パックまたは一次電池パックに統合することができ、またその二次電池パックまたは一次電池パックにおいてもさらに個別セルの各々の機能を確実に監視できれば有利である。
【０００４】
したがって本発明の課題は、任意の数の個別セルを簡単に監視することができる二次電池パックまたは一次電池パックを提供することである。
【０００５】
この課題は、請求項１に記載されている二次電池パックまたは一次電池パックよって解決される。
【０００６】
従属請求項には本発明の別の有利な実施形態が記載されている。
【０００７】
上記の課題を解決するために、本発明によれば、電圧を供給し、且つ相互に接続されている複数の個別セルを有する装置、殊に二次電池パックまたは一次電池パックが提供され、各セルにはセルの機能を監視し、且つその監視に依存してセル情報を提供するために１つの監視回路が対応付けられており、各監視回路はセル情報に依存して導電分離させる状態信号を提供する結合装置と接続されている。これによって、導電分離させる状態信号が供給され、したがってセルとその監視回路が信号評価回路から導電的に分離されることにより、個別セルの数が大量であっても過度に高い電圧は信号評価回路に印加されないことを保証することができる。信号評価回路を二次電池パックまたは一次電池パックの外部に設けることもでき、この場合、二次電池パックまたは一次電池パックは電圧を供給する個別セル、所属の監視回路および結合装置のみを有する。例えば充電装置内に設けられている外部の信号評価回路は、状態信号を評価するために、二次電池パックまたは一次電池パック内に設けられている結合装置と接続されている。
【０００８】
したがって、原則としては任意の数に拡張可能な個別セルを監視することができるので、非常に多くの数の個別セルを備えた二次電池パックまたは一次電池パックを簡単に実現することができる。さらには、この種の導電分離によって所属の監視回路と共に個別セルを簡単に交換することもできる。
【０００９】
結合装置は二次電池パックまたは一次電池パックの外部に配置されている第２の結合エレメントと通信するための第１の結合エレメントを有することができる。したがって、１つの結合エレメントしか二次電池パックまたは一次電池パック内に包含されていないので、この二次電池パックまたは一次電池パックを組み込む際には信号評価回路との有線接続は必要なく、二次電池パックまたは一次電池パック内に設けられている第１の結合エレメントと、例えば充電装置内に設けられている第２の結合エレメントとの間の導電分離された信号結合部を形成するだけでよい。
【００１０】
この種の二次電池パックまたは一次電池パックにおいては、それぞれが結合装置と接続されており、またセル情報に依存して信号を充電装置または負荷に供給する信号評価回路を設けることができる。したがって、二次電池パックまたは一次電池パック内に設けられている信号評価回路によって、個別セルの誤動作時の誤動作信号の供給も含む、セルの包括的な監視部が既に二次電池パックまたは一次電池パック内に設けられているので、この種の二次電池パックまたは一次電池パックを殊に簡単に器機に組み込むことができる。
【００１１】
結合装置は、単一の構成部材でもって殊に簡単に実現できる結合装置を提供するためにオプトカプラを有することができる。結合装置は二次電池パックまたは一次電池パックの外部に設けられている第２の結合エレメント、殊に光電セルと通信するために、第１の結合エレメント、殊に発光ダイオードを有することができる。１つの光電セルを複数の発光ダイオードに対応付けることができるので、提供しなければならない第２の結合エレメントの数は少なくなる。さらには、結合装置が無線接続、誘導性の結合または容量性の結合を確立するための装置を有することができる。
【００１２】
各セルに固有の監視回路を対応付けることは必ずしも必要ではなく、電圧を供給する複数のセルをそれぞれ１つの監視回路に対応付けることができる。二次電池セルおよび監視回路からなるこの種のカスケード化された装置構成によって、電圧を供給する多数の個別セルをより簡単に監視することができる。さらには、各セルに対して固有の監視回路を提供することに比べて、監視回路および結合装置を削減することができる。
【００１３】
各監視回路はそれぞれ所属のセルの電圧および／または温度および／または内部圧力および／または内部抵抗および／または湿度を監視することができる。この種の典型的なセルパラメータの監視によって、各個別セルの充電状態も考えられる誤動作（例えば電解質の漏れ）も迅速に検出することができる。
【００１４】
信号評価回路が二次電池パックまたは一次電池パック内に設けられている場合には、本発明の別の態様として、結合装置を介して信号評価回路に伝送されたセル情報に依存する信号をどのようにして可能な限り僅かなコストで、例えば充電過程を終了させるか、僅かな充電状態においては負荷の電流要求を制限するために充電装置または負荷に供給することができるかという問題が生じる。ここで最も簡単に実現できる結合部は信号評価回路にコンタクトを設けることであり、このコンタクトを介して充電装置または負荷には、二次電池パックまたは一次電池パックの負極または正極に対する電圧レベルが出力される。
【００１５】
しかしながらこの付加的なコンタクトは、例えば二次電池パックまたは一次電池パック内に既に温度センサが設けられており、この温度センサが自身で既に充電装置または負荷に二次電池パックまたは一次電池パックの温度に依存する信号を供給する場合には不要である。この場合、信号評価回路は、二次電池パックまたは一次電池パック内に設けられている温度センサの電気的な量を制御することによって、セル情報に依存する信号をこの温度センサを介して充電装置または負荷に伝送することができる。このことは、温度センサとしてＮＴＣ抵抗が設けられている場合には、ＮＴＣ抵抗に別の抵抗が並列接続されることによって行うことができる。これによって高温を示唆する温度センサ信号が形成され、この温度センサ信号によって充電過程または放電過程が終了される。択一的に、温度センサにはセル情報に依存する信号を重畳することができるか、温度センサを短絡または遮断することができるので、二次電池パックまたは一次電池パックから充電装置または負荷へと信号を伝送するための別の端子を既存の温度センサの他に提供する必要なく、セル情報に依存する信号をやはり充電装置または負荷に伝送することができる。
【００１６】
信号評価回路はセル情報に依存する信号を光学的なインタフェースまたは無線インタフェースを介して、もしくは誘導性または容量性の結合ユニットを介して充電装置または負荷に提供することができる。ここでもまた、信号評価回路を充電装置または負荷に直接的に接続する必要はない。
【００１７】
さらに、信号評価回路はセル情報に依存して、二次電池への電流の流れまたは二次電池からの電流の流れを二次電池パックまたは一次電池パック内に設けられているスイッチを介して遮断することができ、したがって充電装置または負荷に信号を伝送する必要なく自発的に充電過程または放電過程を終了することができる。
【図面の簡単な説明】
【００１８】
以下では添付の図面に基づき、本発明の有利な実施例を説明する。
【図１】本発明による二次電池パックまたは一次電池パックの第１の実施形態の概略的な回路構造を示す。
【図２】本発明による二次電池パックまたは一次電池パックの第２の実施形態の概略的な回路構造を示す。
【発明を実施するための形態】
【００１９】
図１から見て取れるように、本発明の第１の実施形態による二次電池パックまたは一次電池パック１０は、電圧を供給する複数の個別セル１２（再充電可能または再充電不可能なもの、例えば二次電池セルまたは一次電池セル）を有し、これらの個別セル１２はそれぞれ１つの監視回路１４と接続されている。監視回路１４は（電解質の漏れを検出できるようにするために）所属の個別セル１２の動作パラメータ、例えばセル電圧（過電圧または不足電圧）、温度、内部圧力、内部抵抗またはセルの湿度を監視し、相応のセル情報を提供する。この種の監視回路１４は基本的に既知のものであり、個々の二次電池セルを監視するために従来の二次電池パックにおいても使用されている。
【００２０】
さらには、信号評価回路１８が設けられており、この信号評価回路１８は各監視回路１４と導電分離されて（電位フリー）、オプトカプラ１６を介して接続されている。信号評価回路１８を二次電池パックまたは一次電池パック１０の一部として設けることができるか、二次電池パックまたは一次電池パック１０に接続することができ、且つ、例えば二次電池パックまたは一次電池パック１０を充電することができる充電装置または二次電池パックまたは一次電池パックによって駆動される負荷に組み込むことができる別個の構成部材として設けることができる。
【００２１】
オプトカプラ１６は単一の構成部材として実施されている結合装置１６である。オプトカプラ１６の代わりに、二次電池パックまたは一次電池パックの外部に設けられている第２の結合エレメント、例えば光電セルと通信する、第１の結合エレメント、例えば発光ダイオードのみを有する結合装置を設けてもよい。この場合には、第２の結合エレメントを二次電池パックまたは一次電池パック１０の外部に設けられている信号評価回路と接続することができる。
【００２２】
さらに結合装置は無線接続部（例えば二次電池パック内の局所的な無線ネットワーク）もしくは誘導性または容量性の結合部を有することができる。この種の結合装置においては、第１の結合エレメントのみが二次電池パックまたは一次電池パックの一部としてそれぞれ設けられていればよく、第２の結合エレメントは同様に二次電池パックまたは一次電池パック１０とは別個の構成部材として設けられている信号評価回路１８と接続されている。
【００２３】
監視回路１４と信号評価回路１８との間の導電分離によって、多数の個別セル１２が１つの二次電池パックまたは一次電池パック１０に統合されていても信号評価回路１８に高電圧は生じないので、原則として無制限の数の個別セル１２を設けることができる。さらには、本発明による二次電池パックまたは一次電池パック１０をさらなる個別セル１２および監視回路１４について簡単に拡張することができ、またこのために信号評価回路１８における煩雑な措置を講じる必要はない。（所属の監視回路１４を伴う、または伴わない）個別セル１２の交換も問題なく実現されるので、例えば従来のものよりも比較的高い許容差を有する比較的廉価な個別セル１２を使用することができる。
【００２４】
信号評価回路１８は二次電池パックまたは一次電池パック１０の端子２０を介して充電装置または負荷に対して直接的に、個別セルの充電状態および／または誤動作を表す信号を供給することができる。このために信号として例えば電圧レベルまたはバス通信信号を使用することができる。
【００２５】
さらには、高まった温度をシグナリングするために既に二次電池パックまたは一次電池パック１０内に設けられている温度センサ２２、例えば温度抵抗、殊にＮＴＣ抵抗２２を介して、電気的な量、例えば電気抵抗、または熱応力、または信号評価回路１８からの信号を充電過程または放電過程を終了させるために充電装置および／または負荷に出力することができる。
【００２６】
ここでは例えば、信号評価回路１８によって接続可能である別の抵抗２４をＮＴＣ抵抗２２に並列に接続することも考えられる。抵抗２４の接続によって装置全体の抵抗が低減され、したがって信号評価回路１８は充電装置または負荷に、相応の抵抗変化によって、過度に高い温度が存在していないにもかかわらず、そのような過度に高い温度をシグナリングすることができ、またこれによって例えば、接続されている充電装置ないし負荷の側で充電過程または放電過程を終了させることができる。択一的に、この種の温度センサに充電装置または負荷によって評価されるアナログ信号またはディジタル信号を重畳するか、この種の温度センサまたは二次電池パックまたは一次電池パック内に設けられているその他の構成要素（例えばコーディング抵抗）を充電過程または放電過程の終了のために短絡させるか、遮断することも考えられる。
【００２７】
信号評価回路が二次電池パックまたは一次電池パック１０に組み込まれている実施形態においては、信号評価回路１８から充電装置または負荷への信号伝送をさらに光学的なインタフェース、無線接続部もしくは誘導性または容量性の結合部を介して行うこともできるか、信号評価回路１８が二次電池パックまたは一次電池パック１０に組み込まれている電力スイッチを、監視回路１４の信号に依存して二次電池パックまたは一次電池パック１０への電流の流れ、または二次電池パックまたは一次電池パック１０からの電流の流れを遮断できるように制御することができる。
【００２８】
図２は、本発明の第２の実施形態による二次電池パック１００を示す。この二次電池パック１００は第１の実施形態による二次電池パック１０とは監視回路１１４の構造に関してのみ異なる。この監視回路１１４は第１の実施形態の監視回路１４とは異なり、１つの監視回路１１４がそれぞれ複数の個別二次電池セル１１２の動作パラメータを監視し、相応のセル情報をオプトカプラ１１６を介して信号評価回路１１８に供給できるように構成されている。
【００２９】
このカスケード化された構造によって、１つの二次電池パック１００においてさらに多くの個別二次電池セル１１２をより簡単に監視することができる。何故ならば、それぞれが複数の二次電池セル１１２およびこれらの二次電池セル１１２に対応付けられている１つの監視回路１１４を有する事前に製造されたモジュールを信号評価回路１１８およびオプトカプラ１１６（または、例えば第１の実施形態に関連させて説明したような別の結合装置）と組み合わせるだけでよいからである。さらにはこの実施形態においても監視回路１１４および結合装置１１６を削減することができる。
【００３０】
信号評価回路１１８から充電装置または負荷への信号伝送に関しては、第１の実施形態と同様に、直接的な端子１２０も、二次電池パックまたは一次電池パック１００内に既に設けられている温度センサ（図示せず）または導電分離された結合部を介する信号伝送も考えられる。
【図１】
2010537362.tif 000003
【図２】
2010537362.tif 000004
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
電圧を供給し、且つ相互に接続されている複数の個別セル（１２；１１２）を有する二次電池パックまたは一次電池パック（１０；１００）において、
各個別セル（１２；１１２）には、該個別セル（１２；１１２）の機能を監視し、且つ、該監視に依存してセル情報を供給する監視回路（１４；１１４）がそれぞれ１つ対応付けられており、
各監視回路（１４；１１４）は前記セル情報に依存する状態信号を供給する１つの結合装置（１６；１１６）と接続されており、
前記監視回路（１４；１１４）は、前記結合回路（１６；１１６）を介して前記状態信号が供給される信号評価回路（１８；１１８）から導電分離されていることを特徴とする、二次電池パックまたは一次電池パック。
【請求項２】
前記結合装置（１６；１１６）は前記二次電池パックまたは一次電池パック（１０；１００）の外部に配置されている第２の結合エレメントと通信するための第１の結合エレメントを有する、請求項１記載の二次電池パックまたは一次電池パック。
【請求項３】
前記信号評価回路（１８；１１８）は、前記状態信号を充電装置および負荷の両方または一方に供給する、請求項１記載の二次電池パック。
【請求項４】
前記信号評価回路（１８；１１８）は、前記二次電池パックまたは一次電池パック（１０；１００）内に設けられている温度センサ（２２）の電気的な量を制御することによって、前記状態信号を前記温度センサ（２２）を介して前記充電装置および前記負荷の両方または一方に伝送する、請求項３記載の二次電池パック。
【請求項５】
前記信号評価回路（１８；１１８）は前記状態信号を光学的なインタフェースまたは無線インタフェースを介して、もしくは誘導性または容量性の結合ユニットを介して前記充電装置および前記負荷の両方または一方に供給する、請求項３記載の二次電池パック。
【請求項６】
前記信号評価回路（１８；１１８）は、前記状態信号を負荷に供給する、請求項１記載の一次電池パック。
【請求項７】
前記信号評価回路（１８；１１８）は、前記二次電池パックまたは一次電池パック（１０；１００）内に設けられている温度センサ（２２）の電気的な量を制御することによって、前記状態信号を前記温度センサ（２２）を介して前記負荷に伝送する、請求項６記載の一次電池パック。
【請求項８】
前記信号評価回路（１８；１１８）は前記状態信号を光学的なインタフェースまたは無線インタフェースを介して、もしくは誘導性または容量性の結合ユニットを介して前記負荷に供給する、請求項６記載の一次電池パック。
【請求項９】
前記信号評価回路（１８；１１８）は、前記セル情報に依存して、前記二次電池パックまたは一次電池パック（１０；１００）内に設けられているスイッチを介して、前記二次電池パックまたは一次電池パック（１０；１００）への電流の流れ、または、前記二次電池パックまたは一次電池パック（１０；１００）からの電流の流れを遮断する、請求項３または６記載の二次電池パックまたは一次電池パック。
【請求項１０】
前記結合装置（１６；１１６）はオプトカプラ（１６；１１６）を含む、請求項１から９までのいずれか１項記載の二次電池パックまたは一次電池パック。
【請求項１１】
前記結合装置（１６；１１６）は、前記装置の外部に設けられている第２の結合エレメントと通信するための第１の結合エレメントを有する、請求項１または２記載の二次電池パックまたは一次電池パック。
【請求項１２】
前記第１の結合エレメントは発光ダイオードであり、前記第２の結合エレメントは光電セルである、請求項１１記載の二次電池パックまたは一次電池パック。
【請求項１３】
前記結合装置（１６；１１６）は無線接続、誘導性の結合または容量性の結合を確立するための装置を有する、請求項１から９までのいずれか１項記載の二次電池パックまたは一次電池パック。
【請求項１４】
各監視装置（１１４）にはそれぞれ複数の個別セル（１１２）が対応付けられている、請求項１から１３までのいずれか１項記載の二次電池パックまたは一次電池パック。
【国際調査報告】
2010537362.tif 000005
2010537362.tif 000006
2010537362.tif 000007
2010537362.tif 000008